(57)【要約】【課題】空気調和機の室内ファン制御において、冷房運転、除湿（ドライ）運転時或いは、シーズン初めの運転時に室内熱交換器に付着している臭い成分の再蒸発による室内環境の不快さを軽減すること。【解決手段】冷房、除湿（ドライ）運転及びシーズン初めの運転開始時、圧縮機７が起動して第１の所定時間経過後、室内送風機１３を低速で運転し、かつ換気送風機１４を運転し、第２の所定時間経過後、通常の運転制御に切り替えることにより、室内熱交換器に付着している臭いの成分の再蒸発を抑えると共に、換気送風機１４を通じて室外へ排気して臭い成分の室内への吹き出しを防止し、室内環境を不快なものにするのを防ぐことができ、ユーザに快適な室内環境を提供することができる。【選択図】図１
2007032855.tif 000002
【特許請求の範囲】
【請求項１】
圧縮機と、熱交換した空気を室内に送風する室内送風機と、室内の空気を室外に排気する換気送風機を備え、冷房、除湿（ドライ）運転及びシーズン初めの運転開始時、前記圧縮機が起動して第１の所定時間経過後、前記室内送風機を低速で運転し、かつ前記換気送風機を運転し、第２の所定時間経過後、通常の運転制御に切り替えることを特徴とする空気調和機。
【請求項２】
冷房、除湿（ドライ）運転及びシーズン初めの運転開始時、換気送風機の運転に連動して吹き出し口に設けた上下羽根を閉じる制御にしたことを特徴とする請求項１に記載の空気調和機。
【発明の詳細な説明】
【技術分野】
【０００１】
本発明は冷房、除湿（ドライ）機能を有し、換気送風機を備えた空気調和機に関するものである。
【背景技術】
【０００２】
従来、この種の空気調和機は冷房、除湿運転、或いはシーズン初めの運転時に室内熱交換器に付着した臭い成分（セメント臭）が再蒸発し、室内に吹出して室内環境を不快なものにするのを防ぐ為、圧縮機の運転や熱交換器の温度に応じて、室内送風機の運転状況を制御するものがある。
【０００３】
特に近年消費電力を低減するために、冷房、除湿（ドライ）運転時に、室温が設定温度付近に到達して圧縮機を低回転数で運転すると、室内熱交換器の冷媒圧力が上昇し、顕熱比の大きな運転となり、除湿能力が低下するだけでなく、また室内熱交換器の温度（室内熱交温度）も比較的高いことから、室内熱交換器に付着している臭いの成分が再蒸発し易く、つまり室内へ臭いを吹き出す原因になっているのを防ぐ為、圧縮機の運転回転数が所定値以下であり、室内熱交換器温度が所定値より高い時には室内送風機を間欠的に運転するようにしている（例えば、特許文献１参照）。
【０００４】
図３は、従来の空気調和機の圧縮機動作と各助変数の挙動のタイムチャートを示すものである。図３に示すように、圧縮機を低回転数で運転すると（圧縮機オフも含む；図３（ａ）参照）、室内熱交換器の冷媒圧力が上昇し、顕熱比の大きな運転となり、除湿能力が低下するだけでなく、また室内熱交換器の温度（室内熱交温度）も比較的高いことから（同図（ｃ）の波線矢印Ｂ参照）、室内熱交換器に付着している臭いの成分が再蒸発し易く（同図（ｃ）の波線矢印Ｃ参照）、つまり室内へ臭いを吹き出す原因になっている。
【０００５】
特に、圧縮機のＯＦＦ中にあっても、図３（ｅ）に示すように、室内ファンを連続運転としているため、室内熱交温度が上昇し（同図（ｃ）参照）、室内への湿気戻りが生じ（同図（ｂ）の波線矢印Ａ参照）、しかも臭い成分の吹き出し量が多くなり（同図（ｄ）参照）、室内環境の悪化を招く。
【０００６】
特許文献１に記載された従来の空気調和機は、圧縮機の運転回転数が所定値以下でかつ室内熱交換器温度が所定値より高い時には室内送風機を間欠的に運転することによって、室内熱交換器の温度上昇を抑え、また室内熱交換器に付着している臭いの成分が再蒸発しても、室内へ臭いを吹き出しにくくするものである。
【特許文献１】特開平１１−２１１２０６号公報
【発明の開示】
【発明が解決しようとする課題】
【０００７】
しかしながら、前記従来の構成では、室内送風機を間欠的に運転することによって室内熱交換器の温度上昇を抑えることができ、室内熱交換器に付着している臭いの成分が再蒸発を抑えて室内への吹き出し量を抑えるものなので、臭いを少なくすることはできても完全には抑えきれないという課題を有していた。
【０００８】
本発明は、前記従来の課題を解決するもので、臭い成分の室内への吹き出しを防止し、室内環境を不快なものにするのを防ぐ空気調和機を提供することを目的とする。
【課題を解決するための手段】
【０００９】
前記従来の課題を解決するために、本発明の空気調和機は、臭い成分の室内への吹き出しが問題となる冷房、除湿（ドライ）運転及びシーズン初めの運転開始時に、圧縮機が起動して第1の所定時間経過後、室内送風機を低速で運転し、かつ換気送風機を運転し、第2の所定時間経過後、通常の運転制御に切り替えることとしたものである。
【００１０】
これによって、室内熱交換器に付着している臭いの成分の再蒸発を抑えると共に、再蒸発しても換気送風機を通じて室外へ排気されるので、臭い成分の室内への吹き出しを防止することとなる。
【発明の効果】
【００１１】
本発明の空気調和機は、室内熱交換器に付着している臭いの成分の再蒸発を抑えると共に、換気送風機を通じて室外へ排気して臭い成分の室内への吹き出しを防止し、室内環境を不快なものにするのを防ぐことができ、ユーザに快適な室内環境を提供することができる。
【発明を実施するための最良の形態】
【００１２】
第１の発明は冷房、除湿（ドライ）運転及びシーズン初めの運転開始時、圧縮機が起動して第1の所定時間経過後、室内送風機を低速で運転し、かつ換気送風機を運転し、第2の所定時間経過後、通常の運転制御に切り替えることにより、室内熱交換器に付着している臭いの成分の再蒸発を抑えると共に、換気送風機を通じて室外へ排気して臭い成分の室内への吹き出しを防止することができる。
【００１３】
第２の発明は、特に、第１の発明の換気送風機の運転に連動して吹き出し口に設けた上下羽根を閉じる制御にすることにより、室内熱交換器に付着している臭いの成分を換気送風機を通じて室外へ排気して室内への吹き出しを防止することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機の制御装置の概略ブロック図、図２は、本発明の第１の実施の形態における空気調和機の各要素の挙動のタイムチャートを示すものである。
【００１６】
この発明の空気調和機の制御方法は、冷房領域、除湿（ドライ）領域時及びシーズン初めの運転時に室内熱交換器に付着した臭い成分の室内への吹き出しを換気ファンのファンモータと吹き出し部に設けた上下羽根を制御して羽根を閉じ室外へ排除させることができることに着目したものである。
【００１７】
図１に示すように、この発明の空気調和機の制御装置は、室内温度を検出する室温センサ部１と、当該冷凍サイクルを構成する室内熱交換器の温度（室内熱交温度）を検出する熱交温度センサ部２と、室内熱交換器で熱交換された冷風あるいは温風を室内に吹き出すための室内ファンのファンモータ３と、室内側の空気を換気する換気ファンのファンモータ４と、吹き出し部に設けた上下羽根を駆動する駆動モータ５と、室内機側を制御する室内機制御装置６と、前記冷凍サイクルを構成する圧縮機７と、室外機側を制御する室外機制御装置８とを備えている。
【００１８】
以上のように構成された空気調和機について、以下その動作、作用を説明する。
【００１９】
室内機制御装置６は、室温とリモコン（図示せず）による設定温度との差にしたがって
圧縮機７の運転周波数コードを算出して室外機制御装置８に送信し、リモコンによる設定風量にしたがって室内ファンのファンモータ３を回転制御する一方、圧縮機７が低回転数（オフも含む）となり、熱交温度が所定値より大きいときには室内ファンを超微風（ＳＳＬｏ）またはＯＦＦにするファンモータドライブ部９および制御部（マイクロコンピュータ）１０からなる。
【００２０】
室外機制御装置８は、室内機制御装置６からの運転周波数コードにしたがって圧縮機７を回転制御し、この圧縮機７の回転数を検出して室内機制御装置６に送信する圧縮機ドライブ部１１および制御部１２からなる。
【００２１】
なお、室内機制御装置６および室外機制御装置８は、他に当該空気調和機に必要な制御を実行する。
【００２２】
次に、前記構成の空気調和機の制御装置についての動作を図２のタイムチャートを参照して説明する。図２は横軸に時間、縦軸に各要素を示したもので、臭いのステータスの推移図として記述されている。なお、図２は冷房運転領域、除湿（ドライ）運転領域の場合を説明したものである。
【００２３】
まず、リモコンによって冷房、除湿（ドライ）運転操作が行われると、室内機制御装置６の制御部１０は従来同様に、室温と設定温度との差に応じて圧縮機７の運転周波数コードを算出して室外機制御装置８に送信するとともに、室内ファンのファンモータ３を制御し、冷房・ドライ運転による室温制御を実行する。
【００２４】
臭いのステータスについて説明する。臭いステータス１では、圧縮機７はＯＮ、時間（タイマー）による判定４０秒間、室内ファンのファンモータ３はＯＦＦ、換気ファンのファンモータ４はＯＦＦ、上下羽根の駆動モータ５もＯＦＦで上下羽根は閉じた状態。低圧を落として室内熱交換器を湿らす。
【００２５】
次に臭いのステータス２において、圧縮機７はＯＮ、時間（タイマー）による判定５０秒間、室内ファンのファンモータ３のファン速は微風（ＳＬｏ）、換気ファンのファンモータ４はＯＮ、上下羽根の駆動モータ５はＯＦＦで閉じた状態であり、この状態の間、換気ファンのファンモータ４と上下羽根の駆動モータ５により室外へ臭い成分を排除する。
【００２６】
圧縮機７ＯＮ時は臭いステータス１→２→３と推移する。
【００２７】
次に臭いステータス３において、圧縮機７はＯＮ、室内ファンのファンモータ３は冷房領域では風量自動（風量自動・手動）除湿領域では微風（ＳＬｏ）、換気ファンのファンモータ４はリモコン設定に準じる。上下羽根の駆動モータ５はＯＮで開いた状態であり、リモコン設定に準じる。圧縮機７のＯＦＦと同時に臭いステータス４へ移行する。
【００２８】
次に臭いステータス４において、圧縮機７はＯＦＦ、時間（タイマー）による判定２０秒間、室内ファンのファンモータ３のファン速は微風（ＳＬｏ）、換気ファンのファンモータ４はリモコン設定に準じる。上下羽根の駆動モータ５はＯＮで開いた状態であり、リモコン設定に準じる。
【００２９】
次に臭いステータス５において圧縮機７はＯＦＦ、時間（タイマー）による判定９０秒間、室内ファンのファンモータ３のファン速はＯＦＦ、換気ファンのファンモータ４はリモコン設定に準じる。上下羽根の駆動モータ５はＯＮで開いた状態であり、リモコン設定に準じる。
【００３０】
圧縮機７ＯＦＦ時は臭いステータス４→５→４←  →５を推移する。圧縮機７のＯＮと同時に臭いステータス１へ移行する。また、運転開始時、サーモＯＦＦの場合は臭いステータス４より開始する。
【００３１】
以上のように、本実施の形態においては、冷房、除湿（ドライ）運転及びシーズン初めの運転開始時、圧縮機が起動して第1の所定時間経過後、室内送風機を低速で運転し、かつ換気送風機を運転し、換気送風機の運転に連動して吹き出し口に設けた上下羽根を閉じる第２の所定時間経過後、通常の運転制御に切り替えることにより、室内熱交換器に付着している臭いの成分の再蒸発を抑えると共に、臭い成分の室内への吹き出しを防止することができる。
【産業上の利用可能性】
【００３２】
以上のように、本発明にかかる空気調和機は、室内熱交換器に付着している臭いの成分の室内への吹き出しの防止が可能となるので、マルチエアコン等の用途にも適用できる。
【図面の簡単な説明】
【００３３】
【図１】本発明の実施の形態１における空気調和機の制御装置の概略ブロック図
【図２】本発明の実施の形態２における空気調和機の各要素の挙動のタイムチャート
【図３】従来の空気調和機の圧縮機動作と各助変数の挙動のタイムチャート
【符号の説明】
【００３４】
３  室内ファンのファンモータ
４  換気ファンのファンモータ
５  上下羽根の駆動モータ
６  室内機制御装置
７  圧縮機
８  室外機制御装置
９  ファンモータドライブ部
１０  制御部
１１  圧縮機ドライブ部
１２  制御部
１３  室内ファン
１４  換気ファン
１５  上下羽根
【図１】
2007032855.tif 000003
【図２】
2007032855.tif 000004
【図３】
2007032855.tif 000005